(57)【要約】【課題】机上へ画像を投影する表示装置及び机上に置いた原稿の画像を取り込む読取装置が隣接配置される装置本体部について、簡易な方式の把持部により、効率的な持ち上げ、運搬が可能にする。【解決手段】机上の所定領域へ画像を投影する表示装置１、及び机上の所定領域に置いた原稿の画像を取り込む読取装置２が隣接状態で脱着自在に一体化される装置本体部３と、これを持ち上げるための把持機構４とを具備し、把持機構４は、表示装置１又は読取装置２の一方に取っ手５Ａが引き出し自在に設けられた把持部５と、把持部５の取っ手５Ａの引き出しに連動して表示装置１又は読取装置２の他方に係合される係合部材６とを具備する。【選択図】図１
2020188112.tif 000002
【特許請求の範囲】
【請求項１】
机上の所定領域へ画像を投影する表示装置、及び机上の所定領域に置いた原稿の画像を取り込む読取装置が隣接状態で脱着自在に一体化される装置本体部と、
該装置本体部を持ち上げるための把持機構と、を具備し、
前記把持機構は、前記表示装置又は読取装置のいずれか一方に取っ手が引き出し自在に設けられた把持部と、該把持部の取っ手の引き出しに連動して前記表示装置又は読取装置のいずれか他方に係合される係合部材とを具備することを特徴とする入出力装置。
【請求項２】
前記把持部は、前記表示装置又は読取装置のいずれか一方に設けられて、利用者が把持した状態で上方に向けて引き出し可能に設けられていることを特徴とする請求項１に記載の入出力装置。
【請求項３】
前記把持部は前記表示装置に設けられて、
前記係合部材は、前記把持部が利用者により引き出された場合に、前記表示装置の側から前記読取装置の筐体に形成された被係合孔内に突出しかつ該被係合孔に係合されることを特徴とする請求項１又は２のいずれか１項に記載の入出力装置。
【請求項４】
前記係合部材は、前記把持部が利用者により引き出された場合に、前記表示装置から前記読取装置の筐体に形成された被係合孔内に水平方向に突出することを特徴とする請求項３に記載の入出力装置。
【請求項５】
前記把持部と係合部材との間には、前記把持部の上下方向の動きを前記係合部材の水平方向の動きに転換するテーパー面が形成されることを特徴とする請求項４に記載の入出力装置。
【請求項６】
前記表示装置又は読取装置のいずれか他方には利用者により引き出し可能な第２把持部が設けられており、
前記第２把持部にも前記係合部材が係合される被係合孔が形成されることを特徴とする請求項３〜５のいずれか１項に記載の入出力装置。
【請求項７】
前記係合部材及び前記係合部材が係合される被係合孔は、前記表示装置又は読取装置が隣接する隣接面に設けられていることを特徴とする請求項３〜６のいずれか１項に記載の入出力装置。
【請求項８】
前記把持部の取っ手は折り畳み自在に設けられていることを特徴とする請求項１〜７のいずれか１項に記載の入出力装置。
【請求項９】
前記装置本体部を構成する前記表示装置及び読取装置は、画像を投光しかつ原稿を読み取り可能な机上の所定領域の垂直方向よりも外側に設置されることを特徴とする請求項１〜８のいずれか１項に記載の入出力装置。
【請求項１０】
机上の所定領域へ画像を投影する表示装置、及び机上の所定領域に置いた原稿の画像を取り込む読取装置が脱着自在に一体化される装置本体部を有する入出力装置において、
前記表示装置又は読取装置のいずれか一方に利用者により引き出し自在な把持部を設けた上で、該把持部の引き出しに連動して係合部材を動作させることにより、前記表示装置又は読取装置のいずれか他方に係合させることを特徴とする入出力装置の把持方法。
【発明の詳細な説明】
【技術分野】
【０００１】
本発明は、机上へ画像を投影する表示装置（プロジェクタ）と、机上に置いた原稿の画像を取り込む読取装置（イメージスキャナ）とを共に有する入出力装置及び入出力装置の把持方法に関する。
【背景技術】
【０００２】
金融機関や冠婚葬祭、不動産等の業種では、顧客と対面した方式で商談・相談する機会が増大している。
相談・商談を行う場合には、応接室や接客用の個室、又はパーテーションで仕切られた接客コーナーを利用することが一般的である。
【０００３】
そして、このような場所においては、顧客に対して資料を提示し各種の説明を行う、又は顧客から本人確認資料を受け取る、予め用意してもらった記入済の文書などを受け取るといった作業が多々行われる。
このとき、顧客に対応する担当者は、ディスプレー機器やタブレット機器を用いて資料の提示を行い、また、顧客から受け取った資料・文書について、別の場所にある複合機やイメージスキャナ装置を用いて画像取得することが一般的である。
【０００４】
応接室、接客用個室又接客コーナーで利用可能な機器として、特許文献１に示される複合装置が知られている。
この複合装置は、画像を投影するプロジェクタユニットと、載置台に載置された撮影対象物を撮影するスキャナユニットとが同一の筐体内に収納された構成とされ、全体が箱型形状に形成されている。
しかしながら、このような複合装置では、プロジェクタユニットとスキャナユニットとが一体化することで全体が大型化することになり、持ち運びが不便になるという問題が生じる。
【０００５】
そして、この問題を解決するために、例えば特許文献２では、ミシンを収納する箱型状のケースの上部に、取っ手となる貫通孔を設け、この取っ手を使用者が把持することにより、ミシンケースに収納されたミシンを搬送可能とする技術が示されている。
【先行技術文献】
【特許文献】
【０００６】
【特許文献１】特開２０１８−１７４５０６号公報
【特許文献２】特開２００２−１７７６８４号公報
【発明の概要】
【発明が解決しようとする課題】
【０００７】
ところで、特許文献１に示される複合装置に、特許文献２に示される取っ手を取り付けた場合に、該複合装置を運搬可能とすることができる。
しかしながら、特許文献２に示される取っ手は、単にミシン及びミシンケースを運搬するだけのものであり、特許文献１に適用する場合には、特許文献１に示される複合装置に特有な構成を考慮に入れる必要がある。
具体的には、特許文献１に示される複合装置では、プロジェクタユニットと、スキャナユニットとが隣接配置されるという特殊な構造を有しており、この構造に対応した最適な把持構造は未だ実現されていない。
【０００８】
この発明は、上述した事情に鑑みてなされたものであって、机上へ画像を投影する表示装置及び机上に置いた原稿の画像を取り込む読取装置が隣接配置される装置本体部について、簡易な方式の把持部により、効率的な持ち上げ、運搬が可能な入出力装置及び入出力装置の把持方法を提供する。
【課題を解決するための手段】
【０００９】
上記課題を解決するために、この発明は以下の手段を提案している。
本発明の第1態様に示す入出力装置では、机上の所定領域へ画像を投影する表示装置、及び机上の所定領域に置いた原稿の画像を取り込む読取装置が隣接状態で脱着自在に一体化される装置本体部と、該装置本体部を持ち上げるための把持機構と、を具備し、前記把持機構は、前記表示装置又は読取装置のいずれか一方に取っ手が引き出し自在に設けられた把持部と、該把持部の取っ手の引き出しに連動して前記表示装置又は読取装置のいずれか他方に係合される係合部材とを具備することを特徴とする。
【００１０】
本発明の第２態様に示す把持方法は、机上の所定領域へ画像を投影する表示装置、及び机上の所定領域に置いた原稿の画像を取り込む読取装置が脱着自在に一体化される装置本体部を有する入出力装置において、前記表示装置又は読取装置のいずれか一方に利用者により引き出し自在な把持部を設けた上で、該把持部の引き出しに連動して係合部材を動作させることにより、前記表示装置又は読取装置のいずれか他方に係合させることを特徴とする。
【発明の効果】
【００１１】
本発明では、利用者が把持部を引き出すという簡単な操作を行うことにより、係合部材を介して表示装置及び読取装置を一体化し、かつ効率的な持ち上げ、運搬が可能となる。
【図面の簡単な説明】
【００１２】
【図１】本発明に係る入出力装置を示す概略構成図であって、（Ａ）は全体を示す斜視図、（Ｂ）は（Ａ）の正断面図である。
【図２】本発明の実施形態に係る入出力装置を示す斜視図である。
【図３】図２の入出力装置の取っ手を引き出した状態を示す斜視図である。
【図４】（Ａ）把持機構の把持部を示す正面図、（Ｂ）は図（Ａ）の符号Ｂで示す箇所において係合部材が被係合孔に係合される動作を示す正断面図である。
【図５】実施形態の変形例１を示す斜視図である。
【図６】実施形態の変形例２を示す斜視図である。
【図７】図６の入出力装置の取っ手を引き出した状態を示す斜視図である。
【図８】実施形態の変形例３を示す斜視図である。
【図９】図８の入出力装置の取っ手を立てる動作を示す斜視図である。
【発明を実施するための形態】
【００１３】
本発明に係る入出力装置１００について、図１（Ａ）及び（Ｂ）を参照して説明する。この入出力装置１００は、画像を投影する表示装置１及び画像を取り込む読取装置２が隣接状態で脱着自在に一体化される装置本体部３と、該装置本体部３を持ち上げるための把持機構４と、を具備する。
【００１４】
表示装置１は、机に置かれた状態で、机の上面（以下、机上Ｄと表現する）の所定領域Ｅへ画像を投影する。
読取装置２は、同様に机に置かれた状態で、机上Ｄの所定領域Ｅに置いた原稿の画像を取り込む。
把持機構４は、図１（Ｂ）に示されるように、表示装置１又は読取装置２のいずれか一方に取っ手５Ａが引き出し自在に設けられた把持部５と、該把持部５の取っ手５Ａの引き出しに連動して表示装置１又は読取装置２のいずれか他方に係合される係合部材６とを具備する。
なお、図１（Ｂ）では、取っ手５Ａを有する把持部５が表示装置１側に設けられ、係合部材６が読取装置２に設けられた例が示されているが、これら表示装置１及び読取装置２の位置は逆であっても良い。
【００１５】
そして、以上のように構成された入出力装置１００によれば、表示装置１及び読取装置２が隣接状態で脱着自在に一体化される装置本体部３を持ち上げるための把持機構４を具備している。
この把持機構４では、表示装置１又は読取装置２のいずれか一方に取っ手５Ａが引き出し自在な把持部５を設けるとともに、該把持部５の取っ手５Ａの引き出し動作に連動して、表示装置１又は読取装置２のいずれか他方に係合される係合部材６を設けるようにしている。
これにより、入出力装置１００では、利用者が把持部５を引き出すという簡単な操作を行うことにより、係合部材６を介して表示装置１及び読取装置２を一体化することができ、これら一体化された表示装置１及び読取装置２について、把持部５及び係合部材６を介して効率的な持ち上げ、運搬が可能となる。
【００１６】
（実施形態）
実施形態に係る入出力装置１０１について、図２〜図４を参照して説明する。
この入出力装置１０１は、図２に示されるように、画像を投影する表示装置としてのプロジェクタ１１及び画像を取り込む読取装置としてのイメージスキャナ１２が隣接状態で脱着自在に一体化される装置本体部１３と、該装置本体部１３を持ち上げるための把持機構１４と、を具備している。
【００１７】
また、装置本体部１３は、プロジェクタ１１及びイメージスキャナ１２が横並びかつ隣接状態で一体化された上で、机上Ｄの中央に位置する所定領域Ｅの周縁部付近に設置される。
なお、プロジェクタ１１とイメージスキャナ１２とは、プロジェクタ１１及びイメージスキャナ１２の隣接面に別途設置された連結部（図示略）を介して一体化しても良いし、机上Ｄに載置したトレーを介して一体化しても良い。
【００１８】
また、装置本体部１３を構成するプロジェクタ１１及びイメージスキャナ１２はほぼ同じ高さに形成されており、一体化された場合に箱体を形成する。
また、プロジェクタ１１及びイメージスキャナ１２からなる装置本体部１３は、利用者Ａが着座した状態で、利用者Ａにより把持機構１４を介して持ち上げ可能な高さに設定される。
【００１９】
プロジェクタ１１は画像を出力する画像投影部（図示略）と、画像投影部から出力された画像を机上Ｄの所定領域Ｅへ案内する光学レンズ２０とを、プロジェクタ筐体２１に具備する。
なお、この机上Ｄの所定領域Ｅには、プロジェクタ１１から投影された画像が表示される他、スキャン対象（後述する）となる原稿１０が載置される。
【００２０】
イメージスキャナ１２は、画像を取り込むカメラ型のスキャナ部（図示略）と、原稿画像をスキャナ部に案内する光学レンズ３０とをスキャナ筐体３１に具備するものであって、机上Ｄの所定領域Ｅ内に載置された原稿１０の画像が、光学レンズ３０を介してスキャナ部に案内されて読み取られる。
【００２１】
なお、プロジェクタ１１及びイメージスキャナ１２の光学レンズ２０，３０として短焦点、非球面ミラーが使用される。
また、これらプロジェクタ１１及びイメージスキャナ１２は、プロジェクタ１１のプロジェクタ筐体２１、イメージスキャナ１２のスキャナ筐体３１の前面に位置する段部内でかつ机上Ｄの所定領域Ｅと斜めから対向する位置に設置されている。
また、これらプロジェクタ１１の光学レンズ２０、及びイメージスキャナ１２の光学レンズ３０の中心は、利用者Ａによる動作の影響が及ばない、机上Ｄの所定領域Ｅの垂直方向よりも外側に設置される。
【００２２】
次に、図３及び図４（Ａ）（Ｂ）を参照して実施形態に係わる把持機構１４について説明する。
把持機構１４は、イメージスキャナ１２より幅寸法及び重量が大きいプロジェクタ１１に設けられた棒状の把持部１５と、該把持部１５の取っ手１５Ａの引き出しに連動してイメージスキャナ１２に係合される係合部材１６とを具備する。
把持部１５は、プロジェクタ１１のプロジェクタ筐体２１の上面にて、取っ手１５Ａが上下方向（矢印Ａ１−Ａ２方向）に引き出し自在に設けられている。
【００２３】
また、把持部１５の下部は、図４（Ａ）（Ｂ）に示されるように、プロジェクタ筐体２１の内部に位置しており、イメージスキャナ１２に向く側に凹部１７を有している。
凹部１７は上側（矢印Ａ１側）に段部１８を有し、下側（矢印Ａ２）側にテーパー面１９を有する構造とされる。
段部１８は、係合部材１６のローラ１６Ａ（後述する）が凹部１７内を転動する範囲を定めるために設置されている。
また、テーパー面１９は把持部１５の上下方向（矢印Ａ１−Ａ２方向）に沿う引き出し動作を、係合部材１６の水平方向（矢印Ｂ１−Ｂ２方向）の移動に転換するために設けられている（後述する）。
【００２４】
係合部材１６は把持部１５の下部の凹部１７内に位置する棒状体であって、プロジェクタ筐体２１及びスキャナ筐体３１を共に貫通するように形成された水平方向（矢印Ｂ１−Ｂ２方向）の貫通孔４０，４１を経由して、同方向（矢印Ｂ１−Ｂ２方向）に移動自在に設けられている。
また、この係合部材１６は付勢部材（図示略）を介して把持部１５の凹部１７内の壁面側となる矢印Ｂ２方向に押し付けられており、その接触点には、把持部１５の上下方向（矢印Ａ１−Ａ２方向）に引き出しに応じて凹部１７内を転動するローラ１６Ａが設けられている。
【００２５】
一方、イメージスキャナ１２のスキャナ筐体３１には、イメージスキャナ１２を持ち運ぶための第２把持機構５０（図２、図３及び図４（Ｂ）参照）が設けられている。
第２把持機構５０は、イメージスキャナ１２側に設けられるものであって、棒状の把持部５１を有する。
【００２６】
把持部５１は、イメージスキャナ１２のスキャナ筐体３１の上面にて、取っ手５１Ａが上下方向（矢印Ａ１−Ａ２方向）に引き出し自在に設けられるものであって、把持部５１の下部は、図４（Ｂ）に示されるようにスキャナ筐体３１内部に位置している。
また、把持部５１の下部には、矢印Ａ２方向に押し下げられた場合に、プロジェクタ筐体２１及びスキャナ筐体３１の水平方向（矢印Ｂ１−Ｂ２方向）の貫通孔４０，４１と同軸状に連通する貫通孔５２が形成されている。
【００２７】
そして、以上のように構成された入出力装置１０１では、プロジェクタ１１及びイメージスキャナ１２が隣接された状態で、利用者により、プロジェクタ１１側に位置する把持機構１４の把持部１５を上方（矢印Ａ１方向）に引き上げることができる。
これにより把持部１５の下部に位置する凹部１７が、該凹部１７内のテーパー面１９とともに上昇して、該テーパー面１９に接するローラ１６Ａを水平方向（矢印Ｂ１−Ｂ２方向）の図中右側（矢印Ｂ１方向側）に移動させる。
すなわち、テーパー面１９は把持部１５の上方（矢印Ａ１方向）への引き出し動作を、係合部材１６の水平方向の図中右側（矢印Ｂ１方向）の移動に転換させるこ  とができる。
【００２８】
これにより、ローラ１６Ａと一体な係合部材１６が、プロジェクタ筐体２１及びスキャナ筐体３１を共に貫通する貫通孔４０，４１とともに、イメージスキャナ１２側の把持部５１の貫通孔５２を共に貫通し、これら貫通孔４０，４１，５２に係合される。
【００２９】
その結果、上記入出力装置１０１では、係合部材１６とこの係合部材１６の被係合孔となる貫通孔４０，４１，５２との係合により、装置本体部１３を構成するプロジェクタ１１及びイメージスキャナ１２を一体化することができる。
すなわち、上記入出力装置１０１では、利用者がプロジェクタ筐体２１側の把持部１５を引き出すという簡単な操作により、プロジェクタ１１及びイメージスキャナ１２を一体化することができ、これら一体化されたプロジェクタ１１及びイメージスキャナ１２について、把持部１５を介して効率的な持ち上げ、運搬が可能となる。
【００３０】
一方、把持機構１４の把持部１５を下方（矢印Ａ２方向）に押し下げた場合には、図４（Ｂ）に示されるように凹部１７内のテーパー面１９による矢印Ｂ１方向へのローラ１６Ａの押圧がなくなる。
その結果、係合部材１６が付勢部材（図示略）の付勢により矢印Ｂ２方向に移動して、該係合部材１６と貫通孔４０，４１，５２との係合状態が解除される。これによりプロジェクタ１１又はイメージスキャナ１２のそれぞれが、把持機構１４及び第２把持機構５０を介して自由に持ち運び可能となる。
【００３１】
そして、以上のように構成された入出力装置１０１によれば、利用者が把持部１５を引き出すという簡単な操作を行うことにより、係合部材１６を介してプロジェクタ１１及びイメージスキャナ１２を一体化することができ、これら一体化されたプロジェクタ１１及びイメージスキャナ１２について、把持部１５及び係合部材１６を介して効率的な持ち上げ、運搬が可能となる。
なお、上記実施形態では、係合部材１６と、被係合孔となる貫通孔４０，４１，５２とは一定の摩擦力で接触することで、該係合部材１６を介して、プロジェクタ１１及びイメージスキャナ１２を連結しても良いし、係合部材１６が貫通孔４０，４１，５２に挿入された際に互いに連結する連結機構を別途設けても良い。
【００３２】
（変形例１）
上記実施形態では、図４（Ｂ）に示されるように、凹部１７の上側（矢印Ａ１側）に、係合部材１６のローラ１６Ａが凹部１７内を転動する範囲を定める段部１８を設けるようにした。
しかし、このような段部１８の設置は必須ではなく、図５に示すように把持部１５の下部に凹部１７を設けることなく、テーパー面１９を設置しても良い。
【００３３】
（変形例２）
上記実施形態では、図２〜図４に示すように、イメージスキャナ１２のスキャナ筐体３１に、該イメージスキャナ１２を持ち運ぶための第２把持機構５０を設けるようにした。しかし、イメージスキャナ１２はプロジェクタ１１に比べて小型であるため、図６及び図７に示すように第２把持機構５０の設置は必須ではなく、適宜省略しても良い。
【００３４】
（変形例３）
上記実施形態では、図２〜図４に示すように、把持機構１４における把持部１５の取っ手１５Ａを逆コ字状に形成しているが、この取っ手１５Ａの部分を、図８及び図９に示すように折り畳み自在にしても良い。
【００３５】
また、上記実施形態では、把持機構１４の把持部１５を上下方向（矢印Ａ１−Ａ２方向）に引き出し自在としたが、上下方向に対して傾斜していても良い。同様に、把持機構１４の係合部材１６を水平方向（矢印Ｂ１−Ｂ２方向）に移動自在としたが、水平方向に対して傾斜していても良い。
【００３６】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３７】
本発明は、机上へ画像を投影する表示装置（プロジェクタ）と、机上に置いた原稿の画像を取り込む読取装置（イメージスキャナ）とを共に有する入出力装置及び入出力装置の把持方法に関する。
【符号の説明】
【００３８】
１  表示装置
２  読取装置
３  装置本体部
４  把持機構
５  把持部
５Ａ  取っ手
６  係合部材
１０  原稿
１１  プロジェクタ
１２  イメージスキャナ
１３  装置本体部
１４  把持機構
１５  把持部
１５Ａ  取っ手
１６  係合部材
１６Ａ  ローラ
１７  凹部
１８  段部
１９  テーパー面
２０  光学レンズ
２１  プロジェクタ筐体
３０  光学レンズ
３１  スキャナ筐体
４０  貫通孔
４１  貫通孔
５０  第２把持機構
５１  把持部
５１Ａ  取っ手
５２  貫通孔
１００  入出力装置
１０１  入出力装置
Ｄ  机上
Ｅ  所定領域
【図１】
2020188112.tif 000003
【図２】
2020188112.tif 000004
【図３】
2020188112.tif 000005
【図４】
2020188112.tif 000006
【図５】
2020188112.tif 000007
【図６】
2020188112.tif 000008
【図７】
2020188112.tif 000009
【図８】
2020188112.tif 000010
【図９】
2020188112.tif 000011